(57)【要約】【課題】壁材や天井材の耐力を十分に獲得すると共に、柱や横架材が金属熱伝導の影響を受け難くする。【解決手段】壁Ｗは、柱１における壁面との直交面に取り付けられる台座フレーム３と、台座フレーム３に壁面との直交方向へ連結される固定アンカー９Ａ，９Ｂと、固定アンカー９Ａ，９Ｂに取り付けられ、複数の不燃面材からなる外側耐火層１５及び内側耐火層２３とを含んでなり、天井Ｃは、横架材２における鉛直面に取り付けられる台座フレーム３と、台座フレーム３に鉛直方向へ連結される固定アンカー９Ｃと、固定アンカー９Ｃに貫通されて取り付けられ、複数の不燃面材からなる天井耐火層２７とを含んでなる。【選択図】図１
2017031619.tif 000002
【特許請求の範囲】
【請求項１】
柱における壁面との直交面に取り付けられる台座部材と、
前記台座部材に前記壁面との直交方向へ連結される固定部材と、
前記固定部材に取り付けられる壁材と、を含んでなる建築物の壁構造。
【請求項２】
前記台座部材は、耐火材料で形成されることを特徴とする請求項１に記載の建築物の壁構造。
【請求項３】
前記壁材は、複数の不燃面材を積層させたものであって、前記固定部材に貫通されて取り付けられることを特徴とする請求項１又は２に記載の建築物の壁構造。
【請求項４】
柱における壁面との直交面に、台座部材を取り付け、前記台座部材に、前記壁面との直交方向に固定部材を連結し、前記固定部材に壁材を取り付けて壁を形成することを特徴とする建築物における壁の施工方法。
【請求項５】
請求項４の建築物における壁の施工方法に使用される台座部材であって、
前記直交面に取り付け可能なベース部と、前記ベース部から突出し、前記固定部材を貫通させて連結可能な貫通孔を備えた突出部とを含み、耐火材料で形成されることを特徴とする台座部材。
【請求項６】
横架材における鉛直面に取り付けられる台座部材と、
前記台座部材に鉛直方向へ連結される固定部材と、
前記固定部材に取り付けられる天井材と、を含んでなる建築物の天井構造。
【請求項７】
前記台座部材は、耐火材料で形成されることを特徴とする請求項６に記載の建築物の天井構造。
【請求項８】
前記天井材は、天井下地の桟木材上に積層された複数の不燃面材であって、前記固定部材に貫通されて取り付けられることを特徴とする請求項６又は７に記載の建築物の天井構造。
【請求項９】
横架材における鉛直面に、台座部材を取り付け、前記台座部材に固定部材を鉛直方向に連結し、前記固定部材に天井材を取り付けて天井を形成することを特徴とする建築物における天井の施工方法。
【請求項１０】
請求項９の建築物における天井の施工方法に使用される台座部材であって、
前記鉛直面に取り付け可能なベース部と、前記ベース部から突出し、前記固定部材を貫通させて連結可能な貫通孔を備えた突出部とを含み、耐火材料で形成されることを特徴とする台座部材。
【発明の詳細な説明】
【技術分野】
【０００１】
本発明は、木造や鉄骨造の建築物における壁構造及び天井構造と、壁及び天井を施工する方法と、当該施工方法に用いる台座部材とに関する。
【背景技術】
【０００２】
例えば木造の建築物では、特許文献１に開示されるように、柱と横架材とからなる軸組の厚み方向両外面に、耐力面材等の壁材を釘等の固定具によって固着することで壁が施工される。一方、天井は、特許文献２に開示されるように、横架材に釘等で直接連結される吊り木に野縁を取り付けてその下面に天井材を貼り付けることで施工される方法が知られている。
【先行技術文献】
【特許文献】
【０００３】
【特許文献１】特開２０１３−２３８０６８号公報
【特許文献２】特開平５−２６３４９６号公報（図５）
【発明の概要】
【発明が解決しようとする課題】
【０００４】
上記従来の構造では、壁材や天井材が釘等によって固定されるため、壁材や天井材の厚み等に制約を受け、釘の長さによっては耐力が十分得られない場合がある。また、釘等が直接柱や横架材に打ち込まれるため、壁材や天井材に耐火材料を使用しても釘等の熱伝導によって柱や横架材の炭化又は火災が拡大するおそれがある。
【０００５】
そこで、本発明は、壁材や天井材の耐力が十分に得られる建築物の壁構造及び天井構造、建築物における壁及び天井の施工方法、当該施工方法に使用される台座部材を提供することを目的としたものである。
また、本発明は、柱や横架材が金属熱伝導の影響を受け難くする建築物の壁構造及び天井構造、建築物における壁及び天井の施工方法、当該施工方法に使用される台座部材を提供することを目的としたものである。
【課題を解決するための手段】
【０００６】
上記目的を達成するために、請求項１に記載の発明は、建築物の壁構造であって、柱における壁面との直交面に取り付けられる台座部材と、台座部材に壁面との直交方向へ連結される固定部材と、固定部材に取り付けられる壁材と、を含んでなることを特徴とする。
請求項２に記載の発明は、請求項１の構成において、台座部材は、耐火材料で形成されることを特徴とする。
請求項３に記載の発明は、請求項１又は２の構成において、壁材は、複数の不燃面材を積層させたものであって、固定部材に貫通されて取り付けられることを特徴とする。
上記目的を達成するために、請求項４に記載の発明は、建築物における壁の施工方法であって、柱における壁面との直交面に、台座部材を取り付け、台座部材に、壁面との直交方向に固定部材を連結し、固定部材に壁材を取り付けて壁を形成することを特徴とする。
上記目的を達成するために、請求項５に記載の発明は、請求項４の建築物における壁の施工方法に使用される台座部材であって、柱における壁面との直交面に取り付け可能なベース部と、ベース部から突出し、固定部材を貫通させて連結可能な貫通孔を備えた突出部とを含み、耐火材料で形成されることを特徴とする。
上記目的を達成するために、請求項６に記載の発明は、建築物の天井構造であって、横架材における鉛直面に取り付けられる台座部材と、台座部材に鉛直方向へ連結される固定部材と、固定部材に取り付けられる天井材と、を含んでなることを特徴とする。
請求項７に記載の発明は、請求項６の構成において、台座部材は、耐火材料で形成されることを特徴とする。
請求項８に記載の発明は、請求項６又は７の構成において、天井材は、天井下地の桟木材上に積層された複数の不燃面材であって、前記固定部材に貫通されて取り付けられることを特徴とする。
上記目的を達成するために、請求項９に記載の発明は、建築物における天井の施工方法であって、横架材における鉛直面に、台座部材を取り付け、台座部材に固定部材を鉛直方向に連結し、固定部材に天井材を取り付けて天井を形成することを特徴とする。
上記目的を達成するために、請求項１０に記載の発明は、請求項９の建築物における天井の施工方法に使用される台座部材であって、鉛直面に取り付け可能なベース部と、ベース部から突出し、固定部材を貫通させて連結可能な貫通孔を備えた突出部とを含み、耐火材料で形成されることを特徴とする。
【発明の効果】
【０００７】
本発明によれば、柱や横架材に台座部材を介して連結される固定部材に壁材や天井材が取り付けられるため、壁材や天井材の厚みや数を任意に増やすことができ、耐力が十分に得られる。また、台座部材を耐火材料で形成すれば柱や横架材が金属熱伝導の影響を受け難くなる。さらに、壁材や天井材の厚みや数を増やすことで防音性能及び遮音性能の向上も期待できる。
【図面の簡単な説明】
【０００８】
【図１】木造建築物の壁構造及び天井構造の説明図である。
【図２】台座フレームの説明図である。
【図３】柱における台座フレーム部分の水平断面図で、（Ａ）が上側の貫通孔部分、（Ｂ）が下側の貫通孔部分をそれぞれ示す。
【図４】固定アンカーの説明図である。
【図５】止めフレームの説明図である。
【図６】（Ａ）は座金の斜視図、（Ｂ）は座金の側面図である。
【発明を実施するための形態】
【０００９】
以下、本発明の実施の形態を図面に基づいて説明する。
図１は、木造建築物の壁構造及び天井構造の一例を示す説明図である。図１において、１は柱、２は梁や小梁、根太等の横架材で、各柱１の両側面（壁の厚み方向と平行な両面）には、上下方向に所定間隔をおいて台座部材としての台座フレーム３，３・・がそれぞれ取り付けられている。この台座フレーム３は、例えば強化プラスチック、カーボンファイバー、ケイ酸カルシウム等の耐火材料で形成され、図２に示すように、一辺が柱１と同じ幅を有して裏面が取付面４ａとなる四角板状のベース部４と、ベース部４から突出し、ベース部４の幅よりも短い幅を有する突出部５とからなる。突出部５の両側に位置するベース部４の端部には、ベース部４を直交状に貫通する複数のビス孔６，６・・が上下方向に並べて形成されて、突出部５には、取付面４ａと平行して突出部５を左右方向に貫通する２つの貫通孔７，７が、上下方向に並べて形成されている。台座フレーム３は、図３に示すように、ビス孔６を貫通させたビス８を柱１にねじ込むことで柱１に固定される。
【００１０】
この台座フレーム３には、固定部材としての固定アンカー９が取り付けられている。この固定アンカー９は、図４に示すように、外周にネジ部１０を形成して一端に頭部１１を、他端に刃付先端部１２をそれぞれ備える鉄製の棒状体で、ネジ部１０には、頭部１１側にフランジ１４をそれぞれ設けた２つのナット１３Ａ，１３Ｂが螺合可能となっている。
固定アンカー９は、壁用として寸法の長いものと短いものとの二種類が、天井用としてさらに寸法の長いものがそれぞれ用意される。図１，３では区別するために壁用で長い固定アンカーを「９Ａ」、壁用で短い固定アンカーを「９Ｂ」、天井用の固定アンカーを「９Ｃ」と表記している。
このうち固定アンカー９Ａは、室内側から台座フレーム３の上側の貫通孔７に貫通され、さらに外側耐火層１５を貫通してその外側に配置された止めフレーム１６に固定される。外側耐火層１５は、複数の不燃面材（例えば厚さ３mm以上のガラス繊維混入セメント板、厚さ５mm以上の繊維混入珪酸カルシウム板、厚さ１２mm以上の石膏ボード等）を複数枚重ね合わせて形成される。
【００１１】
止めフレーム１６は、図５に示すように、横断面コ字状に折曲した受け部１７の一対の長辺に沿って帯板状のフランジ部１８，１８を延設して長手方向へ樋状に延びる鉄製で、受け部１７の底及び上下には、長手方向に延びるアンカー用の通し孔１９，１９・・と、換気用の窓孔２０，２０・・とが断続的に形成されている。
外側耐火層１５を貫通させた固定アンカー９Ａの先端は、止めフレーム１６の通し孔１９を貫通させて受け部１７の内側からナット１３Ｂをねじ込むことで、止めフレーム１６に固定される。この状態で外側耐火層１５は、各柱１と止めフレーム１６との間で挟持固定される。なお、もう一つのナット１３Ａは、図３（Ａ）に示すように、台座フレーム３の突出部５からの出口側でねじ込まれて、頭部１１との間で突出部５を挟持して固定アンカー９Ａを軸方向で移動規制している。止めフレーム１６の外側には、外壁材（サイディング等）２１が取り付けられる。
【００１２】
一方、壁用で短い方の固定アンカー９Ｂは、外側から台座フレーム３の下側の貫通孔７に貫通されて、柱１の内側に配置された止めフレーム１６に固定される。固定方法は長い方の固定アンカー９Ａと同じであるが、柱１と止めフレーム１６との間には、図３（Ｂ）に示すように、不燃材２２が介在されて、金属製の止めフレーム１６が柱１に直接接触しないようにしている。
内側の止めフレーム１６には、外側耐火層１５と同様に、不燃面材を複数重ね合わせてなる内側耐火層２３が固定されて、内側耐火層２３の内側に、強化プラスターボード２４が貼り付けられている。
こうしてここには、柱１に、台座フレーム３を介して固定アンカー９を壁面との直交方向に連結し、固定アンカー９に壁材（外側耐火層１５，内側耐火層２３）を取り付けた壁Ｗ，Ｗが形成される。
【００１３】
そして、天井Ｃでは、壁Ｗ，Ｗの間に、桟木材となるＣ形鋼２５，２５・・を、ボルト等の固定具２６によって所定間隔で掛け渡して、Ｃ形鋼２５，２５・・の上面に、不燃面材を複数載置してなる天井耐火層２７を形成している。天井耐火層２７は、リベット２８，２８・・を上下方向に貫通させて各不燃面材を一体化させている。
横架材２の側面（鉛直面）にも、複数の台座フレーム３（図１では一箇所のみ示す）が、貫通孔７を鉛直方向に向けた横向き姿勢でビス止めされており、突出部５に上から貫通させた天井用の固定アンカー９Ｃを、天井耐火層２７に貫通させて、天井耐火層２７の下面で固定アンカー９Ｃの端部に、図６に示す座金２９を通してナット締めすることで、天井耐火層２７を吊り下げ支持している。この座金２９は、貫通孔を有する中筒３０の両端に、円形のフランジ部３１，３１を周設した鉄製である。３２は、Ｃ形鋼２５の下面に貼られた天井下地面材（強化プラスターボード等）、３３は断熱材（グラスウール等）である。
【００１４】
以上の如く構成された木造建築物において、壁Ｗ及び天井Ｃの施工は以下の順序で行われる。
まず、台座フレーム３，３・・を各柱１の所定位置にビス８で固定する。但し、釘やボルトで固定してもよい。
次に、台座フレーム３に、内側に突出する固定アンカー９Ｂを差し込んでナット１３Ａで固定し、外側耐火層１５の各不燃面材を仮止めで設置して、台座フレーム３に、外側に突出する固定アンカー９Ａを差し込んで外側耐火層１５との間にナット１３Ａを螺合させてから外側耐火層１５を回転貫通させ、ナット１３Ａで固定する。
そして、外側耐火層１５から突出した固定アンカー９Ａの先端を、止めフレーム１６の通し孔１９に貫通させてナット１３Ｂで固定し（但し、図１に示すように、外側耐火層１５と止めフレーム１６との間に不燃材２２を介在させてもよい。）、止めフレーム１６のフランジ部１８，１８を利用して外壁材２１を固定する。
【００１５】
一方、内側に突出する固定アンカー９Ｂに、止めフレーム１６を仮止めし、止めフレーム１６と柱１との間に不燃材２２を挟み込んだ後、ナット１３Ｂで本固定する。
次に、止めフレーム１６に内側耐火層２３を固定する。この固定は、例えば止めフレーム１６のフランジ部１８，１８に一枚目の不燃面材を固定し、その後、二枚目以降の不燃面材を順に前段の不燃面材に固定することで行う。
次に、内側耐火層２３の内面に強化プラスターボード２４を貼り付ける。但し、内側耐火層２３の最内の不燃面材を内装下地として用いる場合は省略してよい。
【００１６】
そして、天井Ｃ側では、Ｃ形鋼２５，２５・・を壁Ｗ，Ｗの間に亘らせて固定し、Ｃ形鋼２５の上に不燃面材を積み重ねてリベット２８（ビスや金具でもよい）で一体化して天井耐火層２７を形成する。
次に、横架材２の鉛直面の所定位置に台座フレーム３，３・・を取り付け、台座フレーム３の上部から固定アンカー９Ｃを貫通させて、天井耐火層２７を回転貫通させ、下方へ突出した固定アンカー９Ｃの先端に、座金２９を通してナット締めする。
最後にＣ形鋼２５の下部に天井下地面材３２を取り付け、Ｃ形鋼２５，２５の間に断熱材３３を設置する。
【００１７】
このように、上記形態の木造建築物の壁構造及び天井構造、壁及び天井の施工方法によれば、柱１における壁面との直交面及び横架材２の鉛直面に取り付けられる台座フレーム３と、台座フレーム３に壁面との直交方向及び鉛直方向に連結される固定アンカー９と、固定アンカー９に取り付けられる壁材（外側耐火層１５、内側耐火層２３、天井耐火層２７）とを用い、柱１や横架材２に台座フレーム３を取り付け、台座フレーム３に連結した固定アンカー９に壁材を取り付けて壁や天井を形成するようにしたことで、柱１や横架材２に壁材を、釘やボルトで直接固定することなく、台座フレーム３を介して直交状に突出する固定アンカー９に対して取り付けることができる。よって、不燃面材の数や厚みを任意に増やすことで壁材や天井材の耐力が十分に得られる。また、台座フレーム３が耐火材料で形成されているので、柱１や横架材２が金属熱伝導の影響を受け難くなる。さらに、積層した不燃面材によって防音性能及び遮音性能の向上も期待できる。
【００１８】
なお、台座フレームの形状は上記形態に限らず、貫通孔の数を増やして貫通させる固定アンカーの数を増やしたり、突出部を筒状に形成したり等、適宜変更可能である。
また、上記形態において、柱の内側では、固定アンカーに取り付けた止めフレームに内側耐火層を固定しているが、柱の外側と同様に固定アンカーを内側耐火層に貫通させてから止めフレームを取り付けてもよい。この場合、台座フレームを貫通する一本の固定アンカーの両端を外側耐火層と内側耐火層とにそれぞれ貫通させて取り付けることもできる。固定アンカーも、棒状体に限らず、帯板状等であってもよい。
そして、本発明は木造建築物に限らず、軽量鉄骨造や鉄骨造においても適用でき、台座部材や固定部材の使用による壁や天井の施工は可能である。
【符号の説明】
【００１９】
１・・柱、２・・横架材、３・・台座フレーム、４・・ベース部、５・・突出部、６・・ビス孔、７・・貫通孔、９（９Ａ〜９Ｃ）・・固定アンカー、１３Ａ，１３Ｂ・・ナット、１５・・外側耐火層、１６・・止めフレーム、１７・・受け部、１８・・フランジ部、２１・・外壁材、２２・・不燃材、２３・・内側耐火層、２５・・Ｃ形鋼、２７・・天井耐火層、Ｗ・・壁、Ｃ・・天井。
【図１】
2017031619.tif 000003
【図２】
2017031619.tif 000004
【図３】
2017031619.tif 000005
【図４】
2017031619.tif 000006
【図５】
2017031619.tif 000007
【図６】
2017031619.tif 000008